(57)【要約】【課題】  チューブ状であって内部に充填された液体を適宜流出させることのできる装身具を提供すること。【解決手段】  チューブ状装身具本体と、上記チューブ状装身具本体内に充填された液体と、を具備し、上記チューブ状装身具本体の微小孔を介して充填されている液体を微量ずつ流出させるように構成されており、装身具として使用可能な範囲が大幅に拡大されることになり、その際、単なる装身具としてではなく、何らかの効能を持った液体を微量ずつ流出させる機能をも発揮することができる。【選択図】図１
0003155079.tif 000002
【実用新案登録請求の範囲】
【請求項１】
チューブ状装身具本体と、
上記チューブ状装身具本体内に充填された液体と、
を具備し、
上記チューブ状装身具本体の微小孔を介して充填されている液体を微量ずつ流出させるように構成されていることを特徴とする装身具。
【請求項２】
請求項１記載の装身具において、
上記チューブ状装身具本体はリング状に形成されていることを特徴とする装身具。
【請求項３】
請求項２記載の装身具において、
上記チューブ状装身具本体はその両端を連結部材又は連結金具を介して着脱可能な状態でリング状に形成されていることを特徴とする装身具。
【請求項４】
請求項３記載の装身具において、
上記チューブ状装身具本体は切断可能な可撓性部材からなることを特徴とする装身具。
【請求項５】
請求項４記載の装身具において、
上記チューブは透明又は半透明のシリコンゴム製であることを特徴とする装身具。
【請求項６】
請求項４記載の装身具において、
上記チューブ状装身具本体は微小多孔質状の発泡材料からなることを特徴とする装身具。
【請求項７】
請求項２記載の装身具において、
上記チューブ状装身具本体は複数個の装身具本体要素から構成されていて、これら複数個の装身具本体要素を複数個の連結部材を介して連結することによりリング状に形成されているものであることを特徴とする装身具。
【考案の詳細な説明】
【技術分野】
【０００１】
本考案は、例えば、チューブ状の装身具に係り、特に、装身具本体内部に液体を充填して該液体を微量ずつ流出させることができるように工夫したものに関する。
【０００２】
従来の装身具としては、例えば、特許文献１に開示されているようなものが知られている。以下、この構成について説明する。
【０００３】
特許文献１に開示されている装身具は、開口部が設けられた装飾品本体と、香料吸収体と、貫通孔（ピンホール）が設けられた蓋からなる。上記香料吸収体は、上記装飾品本体内に収容・配置されている。上記蓋は上記装飾品本体の開口部に設けられており、上記装飾品本体内と外部とは上記蓋に設けられた貫通孔のみによって通じている。そして、上記香料吸収体に吸収された香料は、上記貫通孔から装飾品外部へと徐々に発散していく。
【先行技術文献】
【特許文献】
【０００４】
【特許文献１】実開平６−３８６２８号公報
【考案の概要】
【考案が解決しようとする課題】
【０００５】
上記従来の構成によると次のような問題があった。
上記装飾品はペンダント型であり、例えば、首、手首、足首等に装着して使用するには使い勝手が悪いという問題があった。
【０００６】
本願考案は、このような点に基づいてなされたものでその目的とするところは、例えば、首、手首、足首等に装着して内部に充填された液体を微量ずつ流出させることのできる装身具を提供することにある。
【課題を解決するための手段】
【０００７】
上記課題を解決するべく本願の請求項１記載の考案による装身具は、チューブ状装身具本体と、上記チューブ状装身具本体内に充填された液体と、を具備し、上記チューブ状装身具本体の微小孔を介して充填されている液体を微量ずつ流出させるように構成されていることを特徴とするものである。
又、請求項２による装身具は、請求項１記載の装身具において、上記チューブ状装身具本体はリング状に形成されていることを特徴とするものである。
又、請求項３による装身具は、請求項２記載の装身具において、上記チューブ状装身具本体はその両端を連結部材又は連結金具を介して着脱可能な状態でリング状に形成されていることを特徴とするものである。
又、請求項４による装身具は、請求項３記載の装身具において、上記チューブ状装身具本体は切断可能な可撓性部材からなることを特徴とするものである。
又、請求項５による装身具は、請求項４記載の装身具において、上記チューブは透明又は半透明のシリコンゴム製であることを特徴とするものである。
又、請求項６による装身具は、請求項４記載の装身具において、上記チューブ状装身具本体は微小多孔質状の発泡材料からなることを特徴とするものである。
又、請求項７による装身具は、請求項２記載の装身具において、上記チューブ状装身具本体は複数個の装身具本体要素から構成されていて、これら複数個の装身具本体要素を複数個の連結部材を介して連結することによりリング状に形成されているものであることを特徴とするものである。
【考案の効果】
【０００８】
以上述べたように本願の請求項１記載の考案による装身具によると、チューブ状装身具本体と、上記チューブ状装身具本体内に充填された液体と、を具備し、上記チューブ状装身具本体の微小孔を介して充填されている液体を微量ずつ流出させるように構成されているので、装身具として使用可能な範囲が大幅に拡大されることになり、その際、単なる装身具としてではなく、何らかの効能を持った液体を微量ずつ流出させる機能をも発揮することができる。
又、請求項２による装身具は、請求項１記載の装身具において、上記チューブ状装身具本体はリング状に形成されているので、例えば、首、手首、足首等に装着して、上記機能を発揮させることができるものである。
又、請求項３による装身具は、請求項２記載の装身具において、上記チューブ状装身具本体はその両端を連結部材又は連結金具を介して着脱可能な状態でリング状に形成されているので、使用時にのみリング状にする、連結部材等を適宜外して液体を補充する等、使い勝手を向上指せることができる。
又、請求項４による装身具は、請求項３記載の装身具において、上記チューブ状装身具本体は切断可能な可撓性部材からなるので、その長さを自由に調節して、例えば、リングの大きさを変えることができる。
又、請求項５による装身具は、請求項４記載の装身具において、上記チューブは透明又は半透明のシリコンゴム製であるので、上記効果をより確実なものとすることができると共に、内部の液体の残量確認等を容易に行うことができる。
又、請求項６による装身具は、請求項４記載の装身具において、上記チューブ状装身具本体は微小多孔質状の発泡材料からなるので、別途、微小孔を設ける必要はない。
又、請求項７による装身具は、請求項２記載の装身具において、上記チューブ状装身具本体は複数個の装身具本体要素から構成されていて、これら複数個の装身具本体要素を複数個の連結部材を介して連結することによりリング状に形成されているものであるので、装身具本体要素の個数を調整することによりリングの大きさを調整することができると共に装飾性の向上を図ることができる。
【図面の簡単な説明】
【０００９】
【図１】本願考案の第１の実施の形態を示す図で、装身具の構成を示す斜視図である。
【図２】本願考案の第１の実施の形態を示す図で、装身具のチューブの断面形状を示す断面図である。
【図３】本願考案の第２の実施の形態を示す図で、装身具の構成を示す斜視図である。
【図４】本願考案の第２の実施の形態を示す図で、装身具のチューブの断面形状を示す断面図である。
【図５】本願考案の第３の実施の形態を示す図で、装身具の構成を示す斜視図である。
【図６】本願考案の第３の実施の形態を示す図で、装身具のチューブの断面形状を示す断面図である。
【図７】本願考案の第４の実施の形態を示す図で、装身具の構成を示す斜視図である。
【図８】本願考案の第５の実施の形態を示す図で、装身具の構成を示す斜視図である。
【図９】本願考案の第６の実施の形態を示す図で、装身具の構成を示す斜視図である。
【図１０】本願考案の第７の実施の形態を示す図で、装身具の構成を示す斜視図である。
【図１１】本願考案の第８の実施の形態を示す図で、装身具の構成を示す斜視図である。
【図１２】本願考案の第９の実施の形態を示す図で、装身具の構成を示す斜視図である。
【考案を実施するための形態】
【００１０】
以下、図１及び図２を参照して本考案の第１の実施の形態を説明する。
まず、装身具1は、装身具本体２を備えている。上記装身具本体２は、透明又は半透明のシリコンゴムをチューブ状に成形したものである。上記装身具本体２の断面形状は、図２に示すように、円形である。又、上記装身具本体２はリング状に形成されている。すなわち、上記装身具本体２の両端は、円筒形状の連結部材３を介して連結されており、それによって、リング状となっているものである。上記連結部材３の断面形状も円形であり、その外径は上記装身具本体２の内径よりも僅かに大きく設定されている。そのような僅かに大きな外径の連結部材３を装身具本体２内に押し込むことにより、気密、液密を保持している。
【００１１】
上記装身具本体２の内部には、液体としての着色された香水５が充填されている。又、上記装身具本体２の適所には微小孔７が穿穴されている。すなわち、使用者は、装身具１を購入した後、例えば、針によって上記装身具本体２の適所に微小孔７を開ける。そして、使用時にはその微小孔７を介して装身具本体２の内部に充填されている香水５が微量ずつ外部に放出されることになる。
【００１２】
以上の構成を基にその作用を説明する。
例えば、本実施の形態による装身具を購入した使用者は、それを、例えば、首、手首、足首等に装身具として装着する。そして、使用時には装身具本体２の内部に充填されている香水５が微小孔７から微量ずつ外部に流出していく。よって、単なる装身具としての機能だけではなく、香水５を微量ずつ流出させて楽しむ機能をも同時に発揮させることができる。
又、内部の香水５の量が減った場合には、装身具本体２の一端を連結部材３から外し、開放された端部から香水５を適宜補充することになり、それによって、繰り返し使用することができる。
【００１３】
以上本実施の形態によると次のような効果を奏することができる。
まず、装身具本体２はチューブ状であって、且つ、リング状となっているので、例えば、首、手首、足首等に装身具として装着して使用することができる。
又、上記装身具本体２には微小孔７が穿孔されていて、その微小孔７から微量ずつ香水５が流出するように構成されているので、装身具としての機能だけではなく、長期にわたって香りを提供する機能をも発揮することができる。
又、上記装身具本体２は連結部材３を介してリング状に形成されているので、例えば、装身具本体２の両端の連結部材３に対する重合量を調整することにより、リングの大きさの微調整を容易に行うことができる
又、上記装身具本体２はシリコンゴムからなりその両端を自由に切断してその長さを自由に調整することができ、それによっても、リングの大きさの微調整を容易に行うことができる。
又、上記装身具本体２の一方の端を上記連結部材３から取り外すことで、上記香水５の補充を容易に行うことができる。
又、上記装身具本体２を外側から押すことで、上記香水５の上記微小孔７からの流出量を調節することもできる。
又、上記装身具本体２は、透明又は半透明のシリコンチューブからなるため、内部の香水５の種類や量を容易に確認することができる。
又、香水５は着色されているため、それによっても、残量の確認が容易になると共に装飾的効果を発揮することができる。
【００１４】
次に、図３及び図４を参照して本考案の第２の実施の形態を説明する。
まず、装身具９は、装身具本体１０を備えている。上記装身具本体１０は、透明又は半透明のシリコンゴムをチューブ状に成形したものである。上記装身具本体１０の断面形状は、図４に示すように、中空の略長方形である。又、上記装身具本体１０はリング状に形成されている。すなわち、連結部材１１を介して、上記装身具本体１０の両端が連結されており、それによってリング状としているものである。上記連結部材１１の断面形状も略長方形であり、上記装身具本体１０の中空部の断面積よりも僅かに大きいものである。それによって、気密、液密を保持している。
【００１５】
上記装身具本体１０の内部には着色された香水１３が充填されている。又、上記装身具本体１０には微小孔１５が穿穴されている。すなわち、使用者は、装身具９を購入した後、例えば、針によって上記装身具本体１０の適所に微小孔１５を開けるものである。
その他の構成は前記第１の実施の形態の場合と同様である。
【００１６】
上記の構成によると、前記第１の実施の形態の場合と同様の作用及び効果を奏することができる。
又、断面を長方形としたことにより、断面が円形の場合と異なる装飾機能を得ることができる。
【００１７】
次に、図５及び図６を参照して本考案の第３の実施の形態を説明する。
まず、装身具１７は、装身具本体１８を備えている。上記装身具本体１８は、透明又は半透明のシリコンゴムをチューブ状に成形したものである。上記装身具本体１断面形状は、図６に示すように、中空の略十字型である。また、上記装身具本体１８はリング状に形成されている。すなわち、連結部材１９を介して、上記装身具本体１８の両端が連結されており、それによってリング状としているものである。上記連結部材１９の断面形状も略十字型であり、上記装身具本体１８の中空部の断面積よりも僅かに大きいものである。それによって、気密、液密を保持している。
【００１８】
上記装身具本体１８の内部には着色された香水２１が充填されている。又、上記装身具本体１８には微小孔２３が穿穴されている。すなわち、使用者は装身具１７を購入したのち、例えば、針によって上記装身具本体１８の適所に微小孔２３を開けるものである。
その他の構成は前記第１、第２の実施の形態の場合と同様である。
【００１９】
上記の構成によると、前記第１、第２の実施の形態の場合と同様の作用及び効果を奏することができる。
又、断面を十字型としたことにより、断面が円形の場合と異なる装飾機能を得ることができる。
【００２０】
次に、図７を参照して本考案の第４の実施の形態について説明する。前記第１〜第３の実施の形態の場合には、連結部材を使用してチューブ状の装身具本体の両端を連結する構成を示したが、この第４の実施の形態の場合には、チューブ状の装身具本体２の両端を直接接着したり或いは溶着させる場合を示すものである。
【００２１】
次に、図８を参照して本考案の第５の実施の形態について説明する。この実施の形態の場合には、チューブ状の装身具本体２の両端をチューブ状の継手３１を介して連結するようにしたものである。又、その継手３１に微小孔３３を穿孔するようにしたものである。
【００２２】
次に、図９を参照して本考案の第６の実施の形態について説明する。この場合には、チューブ状の装身具本体２は当初直線状になっていて、使用時に、その両端に取り付けられている金具４１、４３を係合させることによりリング状にするものである。
【００２３】
次に、図１０を参照して本考案の第７の実施の形態について説明する。この場合には、チューブ状の装身具本体２を発泡材料（例えば、微揮発性の発泡材）により構成したものである。この場合には特に微小孔を穿孔する必要はなく多孔状に構成されているのでそれらの微小孔より香水５が流出することになる。
【００２４】
次に、図１１を参照して本考案の第８の実施の形態について説明する。この場合には、複数のチューブ状の装身具本体要素２ａを複数の連結部材３を介して連結してリング状にしたものである。それによって、装身具本体要素２ａの個数を調整することによりリングの大きさを変えることができると共に装飾性を高めることができる。
【００２５】
次に、図１２を参照して本考案の第９の実施の形態を説明する。この場合には、複数のチューブ状の装身具本体要素２ａを複数のチューブ状の継手３３を介して連結してリング状にしたものである。この場合にも装身具本体要素２ａの個数を調整することによりリングの大きさを変えることができると共に装飾性を高めることができる。
【００２６】
尚、本願考案は前記第１〜第９の実施の形態に限定されるものではない。
例えば、装身具本体内部に充填される液体は香水に限らず、防虫剤や脱臭剤等、様々な例が考えられる。
又、装身具本体の材質も透明又は半透明のシリコンゴムに限定されず、様々な材質が想定される。
又、微小孔の数は１つに限定されず、複数の微小孔が穿孔される場合も考えられる。
又、装身具本体や連結部材の断面形状も上記の例に限られず、様々な形状のものが考えられる。
又、前記各実施例では、透明または半透明のチューブと着色した香水を例に挙げて説明しているが、そのような組み合わせに限定されるものではなく、例えば、着色されたチューブと着色されていない香水の組み合わせ等も考えられる。
又、その用途についても、例えば、ペット向けの装身具として使用されることも考えられる。
又、リンク状にして使用するだけなく、直線状のままで使用するような形態も想定される。
【産業上の利用可能性】
【００２７】
本考案は、例えば、チューブ状の装身具に係り、特に、装身具本体内部に液体を充填させて該液体を微量ずつ流出させたいものに好適である。
【符号の説明】
【００２８】
１  装身具
２  装身具本体
３  連結部材
５  香水（液体）
７  微小孔
９  装身具
１０  装身具本体
１１  連結部材
１３  香水（液体）
１５  微小孔
１７  装身具
１８  装身具本体
１９  連結部材
２１  香水（液体）
２３  微小孔
【図１】
0003155079.tif 000003
【図２】
0003155079.tif 000004
【図３】
0003155079.tif 000005
【図４】
0003155079.tif 000006
【図５】
0003155079.tif 000007
【図６】
0003155079.tif 000008
【図７】
0003155079.tif 000009
【図８】
0003155079.tif 000010
【図９】
0003155079.tif 000011
【図１０】
0003155079.tif 000012
【図１１】
0003155079.tif 000013
【図１２】
0003155079.tif 000014